(57)【要約】      （修正有）【課題】大掛かりな工事を必要とすることなく、肘や腕を疲労から守る遊技場向けアームレスト装置を提供する。【解決手段】アームレスト装置は取付け金具、スライド受板、収納受板より形成される取付け金具ユニットと取付けねじ、アームレストとクッションで構成され、アームレストはクッション収納保持室、通常使用時に機能する第一のスライド溝部及びロック部、収納時に機能する第二のスライド溝部及びＰ．Ｏ．Ｐ装着部を一体形成するために樹脂成形部材とする。【選択図】図１
0003166551.tif 000002
【実用新案登録請求の範囲】
【請求項１】
パチンコ台のパチンコ玉発射用ハンドルの手前側に設けられる肘又は腕を置くアームレスト装置あって該アームレスト装置は、パチンコ台の玉載せカウンターへの取付け部材と一体に形成されたスライド受板と、該スライド受板上を摺動、定位置に係止するクッション支持体、及び該クッション支持体に保持収容されるクッション性弾性体より構成されると共にクッション支持体及びクッション性弾性体は何れも樹脂成形部材から成ることを特徴とするアームレスト装置。
【請求項２】
前記クッション支持体は通常使用時に水平方向に摺動する第一の摺動溝部と収納時には前記摺動溝部に対して垂直方向に摺動する第二の摺動溝部を具備して成ることを特徴とする請求項１記載のアームレスト装置。
【請求項３】
前記クッション支持体には遊戯店の広告媒体、大当り、遊戯区分等を表示するP.O.Pを収納するためのサイドポケットが一体形成されていることを特徴とする請求項２記載のアームレスト装置。
【請求項４】
前記クッション性弾性体はクッション支持体に対して着脱自在に設けられていることを特徴とする請求項３記載のアームレスト装置。
【考案の詳細な説明】
【技術分野】
【０００１】
本考案はパチンコ遊戯時に使用するアームレストに関するものである。
【背景技術】
【０００２】
一般にパチンコ店で遊戯を楽しむ場合、遊戯者はパチンコ台前面右側にあるパチンコ玉発射用ハンドルを玉の発射具合を目で確かめつつ、ハンドルの回転角を手首と腕で調整しながら発射された玉の位置が絶えず最適な状態に、すなわち玉が入賞ホールに最も多く入る確率を保つように遊戯を行っている。
【０００３】
しかし、従来のパチンコ台には腕や肘を保持する装置、機構が無いために遊戯者はパチンコ玉発射ハンドル(以降ハンドルと称する)を握る手首と肩で腕と肘を安定な状態に保持しなければならず、腕や肩の疲労を生じてしまう。特に大当りが生じた場合にはハンドルを右一杯に回して保持することが要求される場合もあり腕や肩にたいするストレスは通常の状態以上となってしまう。
【０００４】
通常状態で遊戯する場合でも遊戯者の一部の人達はハンドルの回転角を一定に保つためにハンドルに１０円玉等の硬貨を挟んで遊戯を行う為、遊戯台の故障を招く場合がありこの行為を禁止している遊技場もあり人的面、設備面でも弊害が生じている。
【０００５】
一方、ある種のパチンコ店においては肘掛け付きの椅子を用意したり、専用の肘掛けを取り付けたりしているところもある。しかしながら、コスト面で高価となる、又は使用しない時の取り外しや収納が簡単に行えない等の欠点があった。
【先行技術文献】
【特許文献】
【０００６】
【特許文献−１】特許公開平８−１９１９４７
【考案の概要】
【考案が解決しようとする課題】
【０００７】
解決しようとする問題点は、椅子と肘掛けを一体化するような高コストを避け、大掛かりな工事を必要とすることなく、肘や腕を疲労から守る遊技場向けアームレスト装置を提供すること。
【０００８】
腕や肘を支えるアームレストユニットをパチンコ台の交換、清掃等遊戯の必要が無い時に簡単に取り外し、又は退避収納が行えるようにすること。
【０００９】
腕や肘を支えるクッシヨン部分を破損や汚れに対応するため簡単に交換できるようにすること、等である。
【課題を解決するための手段】
【００１０】
上記目的を達成するために、本考案はパチンコ台の玉載せカウンターへ取付部材を最小限のネジ、ボルト等で固定している。
【００１１】
前記取付部材にはアームレストユニットを受けるスライド受板及び収納受板がネジ、溶接等の手段で固着一体化されている。
【００１２】
スライド受板上には水平方向に摺動し、定位置に係止して、肘、腕を受けるクッション弾性体を具備してなるクッション支持体を設けている。
【００１３】
クッション支持体はクッション性弾性体を保持するための格納室、及びスライド受板上を通常使用時に水平方向に摺動するための第一の摺動溝部と、収納時に第一の摺動溝部に対して垂直方向に摺動する第二の摺動溝部を一体形成している。
【００１４】
クッション性弾性体はクッション支持体に対してはクッション性弾性体のアンダーカットフック等によるスナップフィットにより着脱自在に設けてある。
【考案の効果】
【００１５】
本考案によると取付ねじ等の数を最小限に抑えた簡単な取付構造のアームレスト装置を提供することが出来、遊戯者を腕や肩の疲労から守ることができる。
【００１６】
一方、遊戯台の交換や清掃時にはねじ等を一切使用することなくアームレストユニットを取り外して、邪魔にならない別の場所に収納することができる。
【００１７】
又、このアームレストユニットのクッション支持体は遊戯店の広告媒体、大当り、遊戯区分等を表示するP.O.Pを収納するためのサイドポケットが一体形成されているので広告、宣伝効果が期待できるものである。
【００１８】
更に、このアームレストユニットは肘、腕を支持するクッション弾性体を簡単に取り外して交換できるのでメンテナンス面、衛生面からも有利である。
【実施例】
【００１９】
図１は本考案によるアームレスト装置３がパチンコ台１の前の玉載せカウンター２に取付ねじ６により取り付いた通常状態を示す図、図３は収納状態を示す図であり、図２は本考案のアームレスト装置が取り付いた状態を側面から見た図である。
【００２０】
本考案のアームレスト装置３はアームレスト３−１、クッション３−２、スライド受板３−３、取付金具３−４、収納受板３−５、及び取付ねじ６より構成されている。
【００２１】
図４は本考案によるアームレスト装置の分解斜視図、図５は取付金具ユニットを示す図でありスライド受板３−３、取付金具３−４、収納受板３−５はそれぞれ溶接等で固着されている。
【００２２】
図６、図８は本考案によるアームレスト装置の左右側面図であり左右それぞれのサイドポケットには遊戯店の広告媒体又は遊戯区分、大当りを表示するＰ．Ｏ．Ｐが挿入されている。
【００２３】
図７は本考案によるアームレスト装置の中央断面図を含む平面図である。
【００２４】
前記の如く構成されたアームレスト装置において通常使用の場合には図９の状態からアームレスト３−１はスライド受板３−３にスライド溝Ｔ１が係合摺動して図１０に示す如くスライド受板３−３上に設けられた係止穴３−３ａにアームレスト３−１に設けられた係止突起３−１ａが係止すると共にやはりアームレスト３−１上に設けられたストッパー片３−１ｂが取付金具３−４に当たり静止する。
【００２５】
一方、アームレストユニットを収納する場合は図９の状態からアームレストユニットを反時計方向に９０度回転させて図１１の状態とし、係合溝Ｔ２を収納受板３−５に摺動係合して図１２の収納状態となる。
【００２６】
図９から図１２に示すようにクッション３−２はアンダーカット片３−２ａが図１３に示すアームレスト３−１上の係止穴３−１ｄに係止しているが汚れ等交換が必要な場合には無理やり引き抜くことにより破損することなく取り外しが可能となっている。
【００２７】
以上の如く構成された本考案によるとアームレスト装置取付には特殊な工具等も必要とせず取付ねじも最小必要数量ですむため簡単に取付ができる。
【００２８】
又、アームレストユニットはねじ等を必要とせずに図５の取付金具ユニットに着脱可能であるのでパチンコ台の交換、清掃等遊戯の必要が無い場合には簡単に取り外し、収納が可能である。
【００２９】
更にクッション３−２は容易に着脱が可能に構成しているため、汚れ、破損に対しても簡単に対応でき衛星面、保守サービス面でも有益である。
【図面の簡単な説明】
【００３０】
【図１】本考案によるアームレスト装置がパチンコ台の玉載せカウンターに取り付いた通常状態を示す斜視図
【図２】本考案によるアームレスト装置がパチンコ台の玉載せカウンターに取り付いた通常状態を示す側面図
【図３】本考案によるアームレスト装置がパチンコ台の玉載せカウンターに取り付いたアームレストユニットの収納状態を示す斜視図
【図４】本考案によるアームレスト装置の分解斜視図
【図５】本考案によるアームレスト装置の取付金具ユニットを示す図
【図６】本考案によるアームレスト装置にP.O.Pが挿入された左側面図
【図７】図（イ）は本考案によるアームレスト装置の平面図、図（ロ）は中央断面図
【図８】本考案によるアームレスト装置にP.O.Pが挿入された右側面図
【図９】本考案によるアームレスト装置のアームレストユニットの装着直前を示す図
【図１０】本考案によるアームレスト装置のアームレストユニットの装着完了を示す図
【図１１】本考案によるアームレスト装置のアームレストユニットの収納直前を示す図
【図１２】本考案によるアームレスト装置のアームレストユニットの収納完了を示す図
【図１３】図（イ）は本考案によるアームレスト装置のアームレスト単品を示す平面図、図（ロ）は側面図
【図１４】本考案によるアームレスト装置のアームレスト単品を示す斜視図
【符号の説明】
【００３１】
１  パチンコ台
２  パチンコ台の玉載せカウンター
３  本考案によるアームレスト装置
３−１  アームレスト
３−１ａ  係止突起
３−１ｂ  ストッパー片
３−１ｃ  サイドポケット
３−１ｄ  係止穴
Ｔ１、Ｔ２  スライド溝
３−２  クッション
３−２ａ  アンダーカット片
３−３  スライド受板
３−３ａ  係止穴
３−４  取付金具
３−５  収納受板
４  P.O.P
５  ゴムクッション等
６  取付ねじ等
【図１】
0003166551.tif 000003
【図２】
0003166551.tif 000004
【図３】
0003166551.tif 000005
【図４】
0003166551.tif 000006
【図５】
0003166551.tif 000007
【図６】
0003166551.tif 000008
【図７】
0003166551.tif 000009
【図８】
0003166551.tif 000010
【図９】
0003166551.tif 000011
【図１０】
0003166551.tif 000012
【図１１】
0003166551.tif 000013
【図１２】
0003166551.tif 000014
【図１３】
0003166551.tif 000015
【図１４】
0003166551.tif 000016